(57)【特許請求の範囲】
【請求項１】
ハンドセットと、電話機本体と、を備えた電話機であって、
前記ハンドセットは、
スピーカと、
マイクと、
前記スピーカの特性を表すスピーカ特性情報及び前記マイクの特性を表すマイク特性情報が記憶されたハンドセット側記憶部と、を備え、
前記電話機本体は、
電話機が要求する通話特性としてスピーカ基準特性情報及びマイク基準特性情報が記憶された電話機本体側記憶部と、
前記ハンドセットが前記電話機本体に接続されていることを検出する検出部と、
前記検出部により前記ハンドセットが前記電話機本体に接続されていることが検出された場合、前記ハンドセット側記憶部に記憶された前記スピーカ特性情報と前記電話機本体側記憶部に記憶された前記スピーカ基準特性情報の差分であるスピーカ特性差分、及び、前記ハンドセット側記憶部に記憶された前記マイク特性情報と前記電話機本体側記憶部に記憶された前記マイク基準特性情報の差分であるマイク特性差分を抽出する比較部と、
回線に接続されるインタフェース部と、
前記比較部により抽出された前記スピーカ特性差分に基づいて、前記インタフェース部を介して前記回線から入力される受信信号を電話機が要求する通話特性を満たすように調整する受信信号調整部と、
前記比較部により抽出された前記マイク特性差分情報に基づいて、前記マイクを介して入力される送信信号を電話機が要求する通話特性を満たすように調整する送信信号調整部と、を備える電話機。
【請求項２】
前記スピーカ特性情報は、前記スピーカの音圧を表すスピーカ音圧情報及び前記スピーカの周波数特性を表すスピーカ周波数特性情報であり、
前記スピーカ基準特性情報は、電話機が要求するスピーカの音圧を表すスピーカ基準音圧情報及び電話機が要求するスピーカの周波数特性を表すスピーカ基準周波数特性情報であり、
前記受信信号調整部は、受話音量調整部及び受話周波数特性調整部を含み、
前記比較部は、前記スピーカ特性差分として、前記スピーカ音圧情報と前記スピーカ基準音圧情報の差分である第１スピーカ特性差分、及び前記スピーカ周波数特性情報と前記スピーカ基準周波数特性情報の差分である第２スピーカ特性差分を抽出し、
前記受話音量調整部は、前記比較部により抽出された前記第１スピーカ特性差分に基づいて、前記インタフェース部を介して前記回線から入力される受信信号の音量を電話機が要求する音量となるように調整し、
前記受話周波数特性調整部は、前記比較部により抽出された前記第２スピーカ特性差分に基づいて、前記インタフェース部を介して前記回線から入力される受信信号の周波数特性を電話機が要求する周波数特性となるように調整する、請求項１に記載の電話機。
【請求項３】
前記マイク特性情報は、前記マイクの感度を表すマイク感度情報及び前記マイクの周波数特性を表すマイク周波数特性情報であり、
前記マイク基準特性情報は、電話機が要求するマイクの感度を表すマイク基準感度情報及び電話機が要求するマイクの周波数特性を表すマイク基準周波数特性情報であり、
前記送信信号調整部は、送話音量調整部及び送話周波数特性調整部を含み、
前記比較部は、前記マイク特性差分として、前記マイク感度情報と前記マイク基準感度情報の差分である第１マイク特性差分、及び前記マイク周波数特性情報と前記マイク基準周波数特性情報の差分である第２マイク特性差分を抽出し、
前記送話音量調整部は、前記比較部により抽出された前記第１マイク特性差分に基づいて、前記マイクを介して入力される送信信号の音量を電話機が要求する音量となるように調整し、
前記送話周波数特性調整部は、前記比較部により抽出された前記第２マイク特性差分情報に基づいて、前記マイクを介して入力される送信信号の周波数特性を電話機が要求する周波数特性となるように調整する、請求項１又は２に記載の電話機。
【請求項４】
前記スピーカ音圧情報及び前記スピーカ基準音圧情報は、それぞれ、単一周波数の音圧情報であり、
前記スピーカ周波数特性情報及び前記スピーカ基準周波数特性情報は、それぞれ、複数周波数それぞれの音圧情報である、請求項２又は３に記載の電話機。
【請求項５】
前記マイク感度情報及び前記マイク基準感度情報は、それぞれ、単一周波数の感度情報であり、
前記マイク周波数特性情報及び前記マイク基準周波数特性情報は、それぞれ、複数周波数それぞれの感度情報である、請求項３又は４に記載の電話機。
【請求項６】
スピーカと、
マイクと、
ハンドセット側記憶部と、
を備えたハンドセットが接続される電話機本体であって、
電話機が要求する通話特性としてスピーカ基準特性情報及びマイク基準特性情報が記憶された電話機本体側記憶部と、
前記ハンドセットが前記電話機本体に接続されていることを検出する検出部と、
前記検出部により前記ハンドセットが前記電話機本体に接続されていることが検出された場合、前記ハンドセット側記憶部に記憶された前記スピーカ特性情報と前記電話機本体側記憶部に記憶された前記スピーカ基準特性情報の差分であるスピーカ特性差分、及び、前記ハンドセット側記憶部に記憶された前記マイク特性情報と前記電話機本体側記憶部に記憶された前記マイク基準特性情報の差分であるマイク特性差分を抽出する比較部と、
回線に接続されるインタフェース部と、
前記比較部により抽出された前記スピーカ特性差分に基づいて、前記インタフェース部を介して前記回線から入力される受信信号を電話機が要求する通話特性を満たすように調整する受信信号調整部と、
前記比較部により抽出された前記マイク特性差分情報に基づいて、前記マイクを介して入力される送信信号を電話機が要求する通話特性を満たすように調整する送信信号調整部と、を備える電話機本体。
【請求項７】
前記スピーカ基準特性情報は、電話機が要求するスピーカの音圧を表すスピーカ基準音圧情報及び電話機が要求するスピーカの周波数特性を表すスピーカ基準周波数特性情報であり、
前記マイクの基準特性情報は、電話機が要求するマイクの感度を表すマイク基準感度情報及び電話機が要求するマイクの周波数特性を表すマイク基準周波数特性情報である請求項６に記載の電話機本体。
【請求項８】
スピーカと、マイクと、ハンドセット側記憶部と、を備えたハンドセットの前記ハンドセット側記憶部に記憶された前記スピーカの特性を表すスピーカ特性情報と電話機本体側記憶部を備えた電話機本体の前記電話機本体側記憶部に電話機が要求する通話特性として記憶されたスピーカ基準特性情報の差分であるスピーカ特性差分を抽出するステップと、
前記ハンドセット側記憶部に記憶された前記マイクの特性を表すマイク特性情報と前記電話機本体側記憶部に電話機が要求する通話特性として記憶されたマイク基準特性情報の差分であるマイク特性差分を抽出するステップと、
抽出された前記スピーカ特性差分に基づいて、インタフェース部を介して回線から入力される受信信号を電話機が要求する通話特性を満たすように調整するステップと、
抽出された前記マイク特性差分情報に基づいて、前記マイクを介して入力される送信信号を電話機が要求する通話特性を満たすように調整するステップと、を備える通話特性調整方法。
【請求項９】
コンピュータに、請求項８に記載の通話特性調整方法を実行させる、プログラム。
【発明の詳細な説明】
【技術分野】
【０００１】
本発明は、電話機、ハンドセット、電話機本体、及び通話特性調整方法に関する。
【背景技術】
【０００２】
仕向地ごとにレベル情報（受話レベル、送話レベル等）を記憶しておき、仕向地が設定された場合、当該設定された仕向地に対応するレベル情報に基づいて音声信号（アナログ信号）を調整（増幅）することで、１タイプの機種で複数の仕向地に対応することができる電話機が例えば特許文献１に記載されている。
【先行技術文献】
【特許文献】
【０００３】
【特許文献１】特開２００２−１９９４２０号公報
【発明の概要】
【発明が解決しようとする課題】
【０００４】
しかしながら、特許文献１に記載の電話機においては、電話機のハンドセット（受話器）に設けられたスピーカの特性（例えば、音圧・周波数特性）がハンドセット（スピーカ）ごとにばらつくこと、及び、電話機のハンドセットに設けられたマイクの特性（例えば、感度・周波数特性）がハンドセット（マイク）ごとにばらつくことに起因して、通話特性（例えば、ハンドセット交換前と交換後の通話特性（送受話音量／周波数特性））を同一（又は略同一）に調整することが難しいという問題点があった。
【０００５】
本発明の目的は、上述した課題を鑑み、通話特性（例えば、ハンドセット交換前と交換後の通話特性（送受話音量／周波数特性））を自動的に同一（又は略同一）に調整することができる電話機、ハンドセット、電話機本体、及び通話特性調整方法を提供することにある。
【課題を解決するための手段】
【０００６】
本発明の電話機は、ハンドセットと、電話機本体と、を備えた電話機であって、前記ハンドセットは、スピーカと、マイクと、前記スピーカの特性を表すスピーカ特性情報及び前記マイクの特性を表すマイク特性情報が記憶されたハンドセット側記憶部と、を備え、前記電話機本体は、電話機が要求する通話特性としてスピーカ基準特性情報及びマイク基準特性情報が記憶された電話機本体側記憶部と、前記ハンドセットが前記電話機本体に接続されていることを検出する検出部と、前記検出部により前記ハンドセットが前記電話機本体に接続されていることが検出された場合、前記ハンドセット側記憶部に記憶された前記スピーカ特性情報と前記電話機本体側記憶部に記憶された前記スピーカ基準特性情報の差分であるスピーカ特性差分、及び、前記ハンドセット側記憶部に記憶された前記マイク特性情報と前記電話機本体側記憶部に記憶された前記マイク基準特性情報の差分であるマイク特性差分を抽出する比較部と、回線に接続されるインタフェース部と、前記比較部により抽出された前記スピーカ特性差分に基づいて、前記インタフェース部を介して前記回線から入力される受信信号を電話機が要求する通話特性を満たすように調整する受信信号調整部と、前記比較部により抽出された前記マイク特性差分情報に基づいて、前記マイクを介して入力される送信信号を電話機が要求する通話特性を満たすように調整する送信信号調整部と、を備える。
【０００７】
本発明のハンドセットは、スピーカと、マイクと、前記スピーカの特性を表すスピーカ特性情報及び前記マイクの特性を表すマイク特性情報が記憶されたハンドセット側記憶部と、を備える。
【０００８】
本発明の電話機本体は、請求項６又は７に記載のハンドセットが接続される電話機本体であって、電話機が要求する通話特性としてスピーカ基準特性情報及びマイク基準特性情報が記憶された電話機本体側記憶部と、前記ハンドセットが前記電話機本体に接続されていることを検出する検出部と、前記検出部により前記ハンドセットが前記電話機本体に接続されていることが検出された場合、前記ハンドセット側記憶部に記憶された前記スピーカ特性情報と前記電話機本体側記憶部に記憶された前記スピーカ基準特性情報の差分であるスピーカ特性差分、及び、前記ハンドセット側記憶部に記憶された前記マイク特性情報と前記電話機本体側記憶部に記憶された前記マイク基準特性情報の差分であるマイク特性差分を抽出する比較部と、回線に接続されるインタフェース部と、前記比較部により抽出された前記スピーカ特性差分に基づいて、前記インタフェース部を介して前記回線から入力される受信信号を電話機が要求する通話特性を満たすように調整する受信信号調整部と、前記比較部により抽出された前記マイク特性差分情報に基づいて、前記マイクを介して入力される送信信号を電話機が要求する通話特性を満たすように調整する送信信号調整部と、を備える。
【０００９】
本発明の通話特性調整方法は、スピーカと、マイクと、ハンドセット側記憶部と、を備えたハンドセットの前記ハンドセット側記憶部に記憶された前記スピーカの特性を表すスピーカ特性情報と電話機本体側記憶部を備えた電話機本体の前記電話機本体側記憶部に電話機が要求する通話特性として記憶されたスピーカ基準特性情報の差分であるスピーカ特性差分を抽出するステップと、前記ハンドセット側記憶部に記憶された前記マイクの特性を表すマイク特性情報と前記電話機本体側記憶部に電話機が要求する通話特性として記憶されたマイク基準特性情報の差分であるマイク特性差分を抽出するステップと、抽出された前記スピーカ特性差分に基づいて、インタフェース部を介して回線から入力される受信信号を電話機が要求する通話特性を満たすように調整するステップと、抽出された前記マイク特性差分情報に基づいて、前記マイクを介して入力される送信信号を電話機が要求する通話特性を満たすように調整するステップと、を備える。
【発明の効果】
【００１０】
本発明により、通話特性（例えば、ハンドセット交換前と交換後の通話特性（送受話音量／周波数特性））を自動的に同一（又は略同一）に調整することができる電話機、ハンドセット、電話機本体、及び通話特性調整方法を提供することができる。
【図面の簡単な説明】
【００１１】
【図１】電話機１の概略構成図である。
【図２】電話機１の詳細構成図である。
【図３】スピーカ周波数特性情報ｄ２の一例である。
【図４】図３をグラフで表した例である。
【図５】マイク周波数特性情報ｄ４の一例である。
【図６】図５をグラフで表した例である。
【図７】電話機１の動作のフローチャートである。
【図８】スピーカ周波数特性情報ｄ２及びスピーカ基準周波数特性情報Ｄ２の一例である。
【発明を実施するための形態】
【００１２】
（実施形態１）
以下、本発明の実施形態１である電話機１について添付図面を参照しながら説明する。各図において対応する構成要素には同一の符号が付され、重複する説明は省略される。
【００１３】
まず、図１を用いて、実施形態１の電話機１の構成について説明する。
【００１４】
図１は、電話機１の概略構成図である。
【００１５】
図１に示すように、電話機１は、ハンドセット１０（受話器）と、電話機本体２０と、を備えている。
【００１６】
ハンドセット１０は、スピーカ１１と、マイク１２と、スピーカ１１の特性を表すスピーカ特性情報１３ａ及びマイク１２の特性を表すマイク特性情報１３ｂが記憶されたハンドセット側記憶部１３と、を備えている。
【００１７】
電話機本体２０は、電話機が要求する通話特性として電話機が要求するスピーカの特性を表すスピーカ基準特性情報２１ａ及び電話機が要求するマイクの特性を表すマイク基準特性情報２１ｂが記憶された電話機本体側記憶部２１と、ハンドセット１０が電話機本体２０に接続されていることを検出する検出部２７と、検出部２７によりハンドセット１０が電話機本体２０に接続されていることが検出された場合、ハンドセット側記憶部１３に記憶されたスピーカ特性情報１３ａと電話機本体側記憶部２１に記憶されたスピーカ基準特性情報２１ａの差分であるスピーカ特性差分、及び、ハンドセット側記憶部１３に記憶されたマイク特性情報１３ｂと電話機本体側記憶部２１に記憶されたマイク基準特性情報２１ｂの差分であるマイク特性差分を抽出（算出）する比較部２２と、回線３０に接続される回線インタフェース部２９と、比較部２２により抽出されたスピーカ特性差分に基づいて、回線インタフェース部２９を介して回線３０から入力される受信信号（デジタル信号）を電話機が要求する通話特性（電話機が要求するスピーカの特性）を満たすように調整する受信信号調整部２３と、比較部２２により抽出されたマイク特性差分情報に基づいて、マイク１２を介して入力される送信信号（デジタル信号）を電話機が要求する通話特性（電話機が要求するマイク特性）を満たすように調整する送信信号調整部２５と、を備えている。
【００１８】
実施形態１によれば、検出部２７によりハンドセット１０が電話機本体２０に接続されていることが検出された場合、比較部２２が、ハンドセット側記憶部１３に記憶されたスピーカ特性情報１３ａと電話機本体側記憶部２１に記憶されたスピーカ基準特性情報２１ａの差分であるスピーカ特性差分、及び、ハンドセット側記憶部１３に記憶されたマイク特性情報１３ｂと電話機本体側記憶部２１に記憶されたマイク基準特性情報２１ｂの差分であるマイク特性差分を抽出する。
【００１９】
そして、受信信号調整部２３が、比較部２２により抽出されたスピーカ特性差分に基づいて、回線インタフェース部２９を介して回線３０から入力される受信信号（デジタル信号）を電話機が要求する通話特性（電話機が要求するスピーカの特性）を満たすように調整する。また、送信信号調整部２５が、比較部２２により抽出されたマイク特性差分情報に基づいて、マイク１２を介して入力される送信信号（デジタル信号）を電話機が要求する通話特性（電話機が要求するマイク特性）を満たすように調整する。
【００２０】
その結果、電話機１の通話特性（例えば、ハンドセット１０交換前と交換後の通話特性（送受話音量／周波数特性））を自動的に同一（又は略同一）に調整することができる。
【００２１】
（実施形態２）
以下、本発明の実施形態２として、電話機１についてさらに詳細に説明する。
【００２２】
図２は、電話機１の詳細構成図である。
【００２３】
図２に示すように、電話機１は、ハンドセット１０（受話器）と、電話機本体２０と、を備えている。
【００２４】
まず、ハンドセット１０の構成について説明する。
【００２５】
ハンドセット１０は、スピーカ１１と、マイク１２と、ハンドセット側記憶部１３と、を備えている。
【００２６】
スピーカ１１は、当該スピーカ１１に電気信号（アナログ信号）が入力されることで、通話相手の音声を出力する。マイク１２は、当該マイク１２を介して入力される発話者の音声を電気信号（アナログ信号）に変換する。この変換された電気信号はＡ／Ｄ変換器（図示せず）により送信信号（デジタル信号）に変換される。
【００２７】
ハンドセット側記憶部１３は、ＲＯＭ（Read Only Memory）等の不揮発性メモリである。ハンドセット側記憶部１３には、スピーカ特性情報１３ａとして、例えば、スピーカ１１の音圧を表すスピーカ音圧情報ｄ１（図２中、音圧情報ｄ１と記載）及びスピーカ１１の周波数特性を表すスピーカ周波数特性情報ｄ２（図２中、周波数特性情報ｄ２と記載）が記憶されている。
【００２８】
スピーカ音圧情報ｄ１及びスピーカ周波数特性情報ｄ２は、測定器（図示せず）を用いて測定され、ハンドセット側記憶部１３に予め記憶されている。すなわち、スピーカ音圧情報ｄ１及びスピーカ周波数特性情報ｄ２は、ハンドセット１０（スピーカ１１）ごとに固有の情報である。
【００２９】
スピーカ音圧情報ｄ１は、例えば、94dBSPL（1kHz）である。
【００３０】
図３は、スピーカ周波数特性情報ｄ２の一例である。図４は、図３をグラフで表した例である。スピーカ音圧情報ｄ１が単一周波数（１kHz）の音圧情報であるのに対して、図３、図４に示すように、スピーカ周波数特性情報ｄ２は、複数周波数それぞれの音圧情報である。
【００３１】
また、ハンドセット側記憶部１３には、マイク特性情報１３ｂとして、例えば、マイク１２の感度を表すマイク感度情報ｄ３（図２中、感度情報ｄ３と記載）及びマイク１２の周波数特性を表すマイク周波数特性情報ｄ４（図２中、周波数特性情報ｄ４と記載）が記憶されている。
【００３２】
マイク感度情報ｄ３及びマイク周波数特性情報ｄ４は、測定器（図示せず）を用いて測定され、ハンドセット側記憶部１３に予め記憶されている。すなわち、マイク感度情報ｄ３及びマイク周波数特性情報ｄ４は、ハンドセット１０（マイク１２）ごとに固有の情報である。
【００３３】
マイク感度情報ｄ３は、例えば、-45dB（1kHz、0dB=1V/Pa）である。
【００３４】
図５は、マイク周波数特性情報ｄ４の一例である。図６は、図５をグラフで表した例である。マイク感度情報ｄ３が単一周波数（１kHz）の感度情報であるのに対して、図５、図６に示すように、マイク周波数特性情報ｄ４は、複数周波数それぞれの感度情報である。
【００３５】
次に、電話機本体２０の構成について説明する。
【００３６】
図２に示すように、電話機本体２０は、電話機本体側記憶部２１と、比較部２２と、受話周波数特性調整部２３Ａと、受話音量調整部２３Ｂと、送話周波数特性調整部２５Ａと、送話音量調整部２５Ｂと、検出部２７と、制御部２８と、回線インタフェース部２９と、を備えている。比較部２２、受話周波数特性調整部２３Ａ、受話音量調整部２３Ｂ、送話周波数特性調整部２５Ａ、送話音量調整部２５Ｂ、検出部２７、及び回線インタフェース部２９は、ソフトウェアで実現してもよいし、ハードウェアで実現してもよい。
【００３７】
電話機本体側記憶部２１は、ＲＯＭ等の不揮発性メモリである。電話機本体側記憶部２１には、スピーカ基準特性情報２１ａとして、例えば、電話機が要求するスピーカの音圧を表すスピーカ基準音圧情報Ｄ１（図２中、基準音圧情報Ｄ１と記載）及び電話機が要求するスピーカの周波数特性を表すスピーカ基準周波数特性情報Ｄ２（図２中、周波数特性情報Ｄ２と記載）が記憶されている。また、図示しないが、電話機本体側記憶部２１には、制御部２８が実行する所定プログラムが記憶されている。
【００３８】
スピーカ基準音圧情報Ｄ１及びスピーカ基準周波数特性情報Ｄ２は、例えば、電話機１の出荷先の国（又は地域）の規格に準拠するように決定され、予め電話機本体側記憶部２１に記憶されている。
【００３９】
スピーカ基準音圧情報Ｄ１は、例えば、96dBSPL（1kHz）である。
【００４０】
スピーカ基準音圧情報Ｄ１が単一周波数（１kHz）の音圧情報であるのに対して、図示しないが、スピーカ基準周波数特性情報Ｄ２は、スピーカ周波数特性情報ｄ２（図３、図４参照）と同様、複数周波数それぞれの音圧情報である。
【００４１】
また、電話機本体側記憶部２１には、マイク基準特性情報２１ｂとして、例えば、電話機が要求するマイクの感度を表すマイク基準感度情報Ｄ３（図２中、基準感度情報Ｄ３と記載）及び電話機が要求するマイクの周波数特性を表すマイク基準周波数特性情報Ｄ４（図２中、基準周波数特性情報Ｄ４と記載）が記憶されている。
【００４２】
マイク基準感度情報Ｄ３及びマイク基準周波数特性情報Ｄ４は、例えば、電話機１の出荷先の国（又は地域）の規格に準拠するように決定され、予め電話機本体側記憶部２１に記憶されている。
【００４３】
マイク基準感度情報Ｄ３は、例えば、-47dB（1kHz、0dB=1V/Pa）である。
【００４４】
マイク基準感度情報Ｄ３が単一周波数（１kHz）の感度情報であるのに対して、図示しないが、マイク基準周波数特性情報Ｄ４は、マイク周波数特性情報ｄ４（図５、図６参照）と同様、複数周波数それぞれの感度情報である。
【００４５】
比較部２２は、スピーカ特性差分として、ハンドセット側記憶部１３に記憶されたスピーカ音圧情報ｄ１と電話機本体側記憶部２１に記憶されたスピーカ基準音圧情報Ｄ１の差分である第１スピーカ特性差分、及びハンドセット側記憶部１３に記憶されたスピーカ周波数特性情報ｄ２と電話機本体側記憶部２１に記憶されたスピーカ基準周波数特性情報Ｄ２の差分である第２スピーカ特性差分を抽出する。
【００４６】
また、比較部２２は、マイク特性差分として、ハンドセット側記憶部１３に記憶されたマイク感度情報ｄ３と電話機本体側記憶部２１に記憶されたマイク基準感度情報Ｄ３の差分である第１マイク特性差分、及びハンドセット側記憶部１３に記憶されたマイク周波数特性情報ｄ４と電話機本体側記憶部２１に記憶されたマイク基準周波数特性情報Ｄ４の差分である第２マイク特性差分を抽出する。
【００４７】
受話周波数特性調整部２３Ａは、比較部２２により抽出された第２スピーカ特性差分に基づいて、回線インタフェース部２９を介して回線３０から入力される受信信号（デジタル信号）の周波数特性を電話機が要求する周波数特性となるように調整する。
【００４８】
受話音量調整部２３Ｂは、比較部２２により抽出された第１スピーカ特性差分に基づいて、回線インタフェース部２９を介して回線３０から入力される受信信号の音量を電話機が要求する音量となるように調整する。
【００４９】
送話周波数特性調整部２５Ａは、比較部２２により抽出された第２マイク特性差分情報に基づいて、マイク１２を介して入力される送信信号（デジタル信号）の周波数特性を電話機が要求する周波数特性となるように調整する。
【００５０】
送話音量調整部２５Ｂは、比較部２２により抽出された第１マイク特性差分に基づいて、マイク１２を介して入力される送信信号の音量を電話機が要求する音量となるように調整する。
【００５１】
検出部２７は、ハンドセット１０が電話機本体２０に接続されていることを検出する。検出部２７としては、例えば、ハンドセット１０と電話機本体２０を接続するコード（例えば、カールコード）が電話機本体２０のコネクタに装着されたことを検出するスイッチ又はセンサを用いることができる。
【００５２】
制御部２８は、図示しないが、プロセッサを備えている。プロセッサは、例えば、ＣＰＵ（Central Processing Unit）で、電話機本体側記憶部２１からＲＡＭ（Random Access Memory）に読み込まれた所定プログラムを実行することで、比較部２２、受話周波数特性調整部２３Ａ、受話音量調整部２３Ｂ、送話周波数特性調整部２５Ａ、送話音量調整部２５Ｂ、及び検出部２７を制御する。プロセッサは、１つの場合もあるし、複数の場合もある。回線インタフェース部２９は、回線３０に接続されており、回線３０とのインタフェースを行う。
【００５３】
次に、上記構成の電話機１の動作の一例について説明する。
【００５４】
図７は、電話機１の動作のフローチャートである。図７中、ステップＳ１３〜Ｓ１５の処理とステップＳ１６〜Ｓ１８の処理は、並行して実行される。
【００５５】
以下の処理は、プロセッサが、電話機本体側記憶部２１からＲＡＭ（図示せず）に読み込まれた所定プログラムを実行することで実現される。
【００５６】
まず、電話機１を起動する（ステップＳ１０）。次に、検出部２７は、ハンドセット１０が電話機本体２０に接続されていることを検出した場合（ステップＳ１１：ＹＥＳ）、制御部２８にハンドセット１０が検出された旨を通知し、制御部２８は比較部２２にその旨を通知する。一方、検出部２７は、ハンドセット１０が電話機本体２０に接続されていることを検出しない場合（ステップＳ１１：ＮＯ）、検出待ち状態となる。
【００５７】
次に、制御部２８から通知を受けた比較部２２は、スピーカ特性差分、及び、マイク特性差分を抽出する（ステップＳ１２）。
【００５８】
具体的には、比較部２２は、スピーカ特性差分として、ハンドセット側記憶部１３に記憶されたスピーカ音圧情報ｄ１と電話機本体側記憶部２１に記憶されたスピーカ基準音圧情報Ｄ１の差分である第１スピーカ特性差分、及びハンドセット側記憶部１３に記憶されたスピーカ周波数特性情報ｄ２と電話機本体側記憶部２１に記憶されたスピーカ基準周波数特性情報Ｄ２の差分である第２スピーカ特性差分を抽出する。
【００５９】
また、比較部２２は、マイク特性差分として、ハンドセット側記憶部１３に記憶されたマイク感度情報ｄ３と電話機本体側記憶部２１に記憶されたマイク基準感度情報Ｄ３の差分である第１マイク特性差分、及びハンドセット側記憶部１３に記憶されたマイク周波数特性情報ｄ４と電話機本体側記憶部２１に記憶されたマイク基準周波数特性情報Ｄ４の差分である第２マイク特性差分を抽出する。
【００６０】
次に、ステップＳ１３〜Ｓ１５の処理について説明する。
【００６１】
まず、受話周波数特性調整部２３Ａは、比較部２２により抽出された第２スピーカ特性差分に基づいて、回線インタフェース部２９を介して回線３０から入力される受信信号の周波数特性を電話機が要求する周波数特性となるように調整する（ステップＳ１３）。例えば、図８に示すスピーカ周波数特性情報ｄ２がハンドセット側記憶部１３に記憶されており、かつ、図８に示すスピーカ基準周波数特性情報Ｄ２が電話機本体側記憶部２１に記憶されている場合、受話周波数特性調整部２３Ａは、各周波数の音圧差分を受信信号に加算する。図８は、スピーカ周波数特性情報ｄ２及びスピーカ基準周波数特性情報Ｄ２の一例である。
【００６２】
次に、受話音量調整部２３Ｂは、比較部２２により抽出された第１スピーカ特性差分に基づいて、ステップＳ１３で周波数特性が調整された受信信号の音量を電話機が要求する音量となるように調整する（ステップＳ１４）。例えば、ハンドセット側記憶部１３に記憶されているスピーカ音圧情報ｄ１が94dBSPLで、電話機本体側記憶部２１に記憶されているスピーカ基準音圧情報Ｄ１が96dBSPLである場合、第１スピーカ特性差分は-2dBである。この場合、受話音量調整部２３Ｂは、第１スピーカ特性差分（+2dB）を受信信号の音量に加算する。
【００６３】
以上のように周波数特性及び音量が調整された受信信号（デジタル信号）はＤ／Ａ変換器（図示せず）により電気信号（アナログ信号）に変換される。スピーカ１１は、この変換された電気信号が入力されることで、通話相手の音声を出力する（ステップＳ１５）。
【００６４】
次に、ステップＳ１６〜Ｓ１８の処理について説明する。
【００６５】
まず、送話周波数特性調整部２５Ａは、比較部２２により抽出された第２マイク特性差分情報に基づいて、マイク１２を介して入力される送信信号の周波数特性を電話機が要求する周波数特性となるように調整する。（ステップＳ１６）。この処理は、ステップＳ１３と同様の処理であるため、具体例は省略する。
【００６６】
次に、送話音量調整部２５Ｂは、比較部２２により抽出された第１マイク特性差分に基づいて、ステップＳ１６で周波数特性が調整された送信信号の音量を電話機が要求する音量となるように調整する（ステップＳ１７）。この処理は、ステップＳ１４と同様の処理であるため、具体例は省略する。
【００６７】
以上のように周波数特性及び感度が調整された送信信号は、回線インタフェース部２９を介して回線３０に出力される。
【００６８】
以上説明したように、実施形態２によれば、ハンドセット１０が電話機本体２０に接続されていることが検出された場合、受信信号の音量及び周波数特性が、電話機が要求する音量及び周波数特性となるように自動的に調整され、かつ、送信信号の音量及び周波数特性が、電話機が要求する音量及び周波数特性となるように自動的に調整されるため、電話機１の通話特性を自動的に同一（又は略同一）に調整することができる。例えば、ハンドセット１０を交換した場合、再度、図７に示すステップＳ１２以下の処理が実行されるため、電話機１の通話特性（送受話音量／周波数特性）を自動的に同一（又は略同一）に調整することができる。
【００６９】
また、実施形態２によれば、電話機１の通話特性を自動的に同一（又は略同一）に調整することができるため、スピーカ１１、マイク１２として、特性の個体差が大きい安価なスピーカ、マイクや、異なるメーカが製造したスピーカ、マイクを用いることができる。また、実施形態２によれば、電話機１の出荷先の国（又は地域）に通話特性規格が存在する場合でも、当該通話特性規格を満たすように電話機１の通話特性を自動的に調整することができる。
【００７０】
次に、変形例について説明する。
【００７１】
上記実施形態２では、ステップＳ１３〜Ｓ１５がこの順に処理される例について説明したが、これに限らない。例えば、ステップＳ１４、Ｓ１３、Ｓ１５の順に処理してもよい。同様に、上記実施形態２では、ステップＳ１６〜Ｓ１８がこの順に処理される例について説明したが、これに限らない。例えば、ステップＳ１７、Ｓ１６、Ｓ１８の順に処理してもよい。
【００７２】
上記実施形態１、２において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
上記実施形態で示した数値は全て例示であり、これと異なる適宜の数値を用いることができるのは無論である。
【００７４】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００７５】
１  電話機
１０  ハンドセット
１１  スピーカ
１２  マイク
１３  ハンドセット側記憶部
１３ａ  スピーカ特性情報
１３ｂ  マイク特性情報
２０  電話機本体
２１  電話機本体側記憶部
２１ａ  スピーカ基準特性情報
２１ｂ  マイク基準特性情報
２２  比較部
２３  受信信号調整部
２３Ａ  受話周波数特性調整部
２３Ｂ  受話音量調整部
２５  送信信号調整部
２５  送信信号調整部
２５Ａ  送話周波数特性調整部
２５Ｂ  送話音量調整部
２７  検出部
２８  制御部
２９  回線インタフェース部
３０  回線
ｄ１  スピーカ音圧情報
ｄ２  スピーカ周波数特性情報
ｄ３  マイク感度情報
ｄ４  マイク周波数特性情報
Ｄ１  スピーカ基準音圧情報
Ｄ２  スピーカ基準周波数特性情報
Ｄ３  マイク基準感度情報
Ｄ４  マイク基準周波数特性情報
【図１】
0006962602.tif 000002
【図２】
0006962602.tif 000003
【図３】
0006962602.tif 000004
【図４】
0006962602.tif 000005
【図５】
0006962602.tif 000006
【図６】
0006962602.tif 000007
【図７】
0006962602.tif 000008
【図８】
0006962602.tif 000009